(57)【要約】   【課題】  大型のプレス機を使用することなく汎用されているプレス機により製造可能な大型ディスプレイ装置のリアカバーを提供すること。  【解決手段】  ほぼ左右対称形のリアカバー側部を分離することなく１枚の金属板でプレス加工したのち、このリアカバー側部を対称軸の近くで切断して２枚のほぼ対称形のリアカバー両側部1R、1Lを作り、プレス加工されたリアカバー中央部２の両端にリアカバー両側部1R、1Lを接合して１枚の大型ディスプレイ装置のリアカバーとするものである。【選択図】      図５
2005130321.tif 000002
【特許請求の範囲】
【請求項１】
ほぼ左右対称形のリアカバー側部を分離することなく１枚の金属板でプレス加工したのち、対称軸の近くで切断した２枚のほぼ対称形のリアカバー側部を、プレス加工されたリアカバー中央部の両側に接合したことを特徴とするディスプレイ装置のリアカバー。
【請求項２】
ほぼ左右対称形のリアカバー側部を分離することなく１枚の金属板でプレス加工する工程と、
該工程で加工したリアカバー側部を対称軸の近くで切断して、２枚のほぼ対称形のリアカバー側部を形成する工程と、
リアカバー中央部をプレス加工する工程と、
上記リアカバー中央部の両端に、上記２枚のほぼ対称形のリアカバー側部を接合する工程とよりなることを特徴とするディスプレイ装置のリアカバー製造方法。
【請求項３】
リアカバー中央部の両端に、２枚のリアカバー側部を接合する際に、かしめ止めにより接合することを特徴とする請求項２に記載のディスプレイ装置のリアカバー製造方法。
【発明の詳細な説明】
【技術分野】
【０００１】
この発明は、液晶テレビやプラズマ・ディスプレイ・テレビなどの大型平面ディスプレイ装置に用いるリアカバーおよびその製造方法に関する。
【背景技術】
【０００２】
従来の大型平面ディスプレイ装置におけるリアカバーは、下記文献に開示されているように、１枚の鋼板やアルミニウム板をプレス加工して、周囲のフランジ部と、このフランジ部から膨出させた周壁部と、この周壁部で支持された平坦面とを一体に成形したものである。
【特許文献１】特開２００２−２０２７３０号公報
【発明の開示】
【発明が解決しようとする課題】
【０００３】
平面ディスプレイ装置においては、５０インチ以上に大型化する傾向があり、リアカバーも大きなものが必要となり、５００トン以上の大型のプレス機を使用しなければ、薄い鋼板やアルミニウム板をプレス加工して大型リアカバーに成型することができない。大型のプレス機は、高価であって多額の投資が必要であるから、設置しているプレス加工工場は限られているので、大量の大型リアカバーの受注に応じることは極めて困難である。
【０００４】
そこで、この発明は、大型のプレス機を使用しなくても汎用されているプレス機を使用して製造可能な大型リアカバーを提供するために考えられたものである。
【課題を解決するための手段】
【０００５】
この発明のディスプレイ装置のリアカバーは、ほぼ左右対称形のリアカバー側部を分離することなく１枚の金属板でプレス加工したのち、対称軸の近くで切断した２枚のほぼ対称形のリアカバー側部を、プレス加工されたリアカバー中央部の両端に接合したものである。
【０００６】
この発明のディスプレイ装置のリアカバー製造方法は、ほぼ左右対称形のリアカバー側部を分離することなく１枚の金属板でプレス加工する工程と、この工程で加工したリアカバー側部を対称軸の近くで切断して、２枚のほぼ対称形のリアカバー両側部を形成する工程と、リアカバー中央部をプレス加工する工程と、上記リアカバー中央部の両端に、上記２枚のほぼ対称形のリアカバー側部を接合する工程とを経て製造する方法である。
【発明の効果】
【０００７】
この発明のディスプレイ装置のリアカバーは、製造の際に大型のプレス機を使用することなく汎用されているプレス機で加工が可能であり、また、材料として幅の広い鋼板を使用せず、その半分程度の鋼板を用意すればよいので、材料の入手が容易であり、製造コストを大幅に低減することができる。
【０００８】
左右のリアカバー側部を分離することなく１枚の金属板でプレス加工したのち、中央で切断する工程を経て製作するので、プレス加工の際に板材に力が左右対称に、かつ均等に作用するから、鋼板が加工中にずれることがなく、プレス加工における歩留まりを向上させることができる。
【発明を実施するための最良の形態】
【０００９】
図１の組立前の平面図および図２の組立前の正面図に示すように、この発明のディスプレイ装置のリアカバーは、右リアカバー側部1R、リアカバー中央部２および左リアカバー側部1Lよりなる３枚の部分を接合して大型のリアカバーとするものであって、図３の平面図および図４の正面図に示すように、ほぼ左右対称形のリアカバー側部１を分離することなく１枚の金属板でプレス加工したのち、対称軸15の近くで切断して、ほぼ対称形の２枚のリアカバー側部1R、1Lを作り、これらをプレス加工されたリアカバー中央部２の両側に接合するものである。
【００１０】
リアカバー側部１は、図３および図４に示すように、１枚の鋼板やアルミニウム板をプレス加工して、周囲のフランジ部11と、このフランジ部11から膨出させたループ状の周壁部12と、この周壁部12で囲まれて支持された平坦面13とを一体に成形したものである。
【００１１】
プレス加工は、打抜き工程と絞り工程とを経る加工であって、打抜き工程では取付孔、内部の機器を放熱させるための通気用の孔17、中心線（対称軸）15の両側にリベット止めするための孔16などがあけられ、絞り工程ではフランジ部11からループ状の周壁部12を膨出させて平坦面13を成型する。
【００１２】
そして、このようにプレス加工されたリアカバー側部１を中心線（対称軸）15に沿って切断して、左右のリアカバー側部1R、1Lを作る。
【００１３】
リアカバー中央部２は、図１に示すように、１枚の鋼板やアルミニウム板をプレス加工して、上下のフランジ部21と、このフランジ部21から膨出する周壁部22と、この周壁部22で支持された平坦面23とを一体に成形するとともに、図７の断面図に示すように、左右の両端部にリアカバー側部1R、1Lを接合するための板材の厚み程度の段部24を形成する。この段部24にはリベット止めするための孔26があけられる。
【００１４】
左右のリアカバー側部1R、1Lの切断した端部をリアカバー中央部２の両端の段部24に重ね合わせて、孔16、26にリベットを挿通し、かしめて接合して、図５の平面図および図６の正面図に示すように１枚の大型リアカバーを完成する。
【００１５】
なお、左右のリアカバー側部1R、1Lおよびリアカバー中央部２を接合する際に、リベットを使用することなく、プレス加工の技術によって接合することができる。すなわち、図８の断面図に示すように、リアカバー側部1R、1Lとリアカバー中央部２を重ねて丸形ポンチ41とダイ42でプレスすることにより、２枚の鋼板がダイ42の中に押し込まれ、さらに加圧し続けることにより、ポンチ側のリアカバー側部1R、1Lがダイ側のリアカバー中央部２と圧着した状態で接合することができる。
【００１６】
この接合法を使用すると、錆の原因となるエッジやバリを生じることなく３枚の板材を接合したリアカバーを得ることができ、塗装済み鋼板（プレコート鋼板）または亜鉛メッキされた鋼板であっても、塗装層またはメッキ層が鋼板とともに伸びるので、防錆性を維持することができる。
【００１７】
また、図９の断面図（ａ）に示すように、一方の鋼板であるリアカバー側部1R、1Lには比較的大きい孔18をあけ、他方の鋼板であるリアカバー中央部２にも、リアカバー側部1R、1Lの孔18と対応する位置に小さい孔28があけられており、重ね合わせると、それぞれの孔18、28が上下に配置される。
【００１８】
次に、図９の断面図（ｂ）に示すように、小さい孔28から大きい孔18の方向にポンチでプレスすることにより鳩目５を形成して、２枚の鋼板を接合することができる。
【００１９】
リアカバー側部1R、1Lとリアカバー中央部２とを接合して１枚の大型リアカバーを形成するので、リアカバー側部1R、1Lの横幅が長ければリアカバー中央部２の横幅が短くなり、リアカバー側部1R、1Lの横幅の長さが短ければリアカバー中央部２の横幅の長さが長くなる。リアカバー側部1R、1Lおよびリアカバー中央部２の横幅は、使用するプレス機のプレス可能な幅や、入手する鋼板の幅に合わせて設定すればよいのである。
【００２０】
このように、ほぼ対称形のリアカバー側部１をプレス加工した後、中心線（対称軸）15に沿って切断して、左右のリアカバー側部1R、1Lを作ると、フランジ部11からループ状の周壁部12を膨出させて平坦面13を成型する絞り工程において、板材に力が左右対称に、かつ均等に作用するから、板材が加工中にずれることがなく、プレス加工における歩留まりを向上させることができる。
【００２１】
以上の実施の形態においては、ほぼ対称形のリアカバー側部１を中心線に沿って切断して左右のリアカバー側部1R、1Lに分割しているが、中心線に限ることなく片寄った位置で切断して、リアカバー側部1R、1Lの大きさを相違させてもよいのである。
【００２２】
また、リアカバー側部１とリアカバー中央部２に使用する板材は、厚みおよび／または材質が異なったものを選択してもよいのである。
【図面の簡単な説明】
【００２３】
【図１】この発明のリアカバーの接合前の分解平面図、
【図２】図１に示すリアカバーの分解正面図、
【図３】リアカバー両側部の切断前の平面図、
【図４】図３に示すリアカバーの正面図、
【図５】この発明のリアカバーの接合後の平面図、
【図６】図５に示すリアカバーの正面図、
【図７】リアカバー中央部の両端の段部にリアカバー側部を重ねた状態を示す断面図、
【図８】リアカバー中央部の両端にリアカバー側部をかしめ止めする状態を示す断面図、
【図９】リアカバー中央部の両端にリアカバー側部をかしめ止めする他の状態を示す断面図である。
【符号の説明】
【００２４】
１  リアカバー側部
1R  右リアカバー側部
1L  左リアカバー側部
11、21  フランジ部
12、22  周壁部
13、23  平坦面
15  中心線（対称軸）
16、26  かしめ孔
17  通気用の孔
２  リアカバー中央部
24  段部
【図１】
2005130321.tif 000003
【図２】
2005130321.tif 000004
【図３】
2005130321.tif 000005
【図４】
2005130321.tif 000006
【図５】
2005130321.tif 000007
【図６】
2005130321.tif 000008
【図７】
2005130321.tif 000009
【図８】
2005130321.tif 000010
【図９】
2005130321.tif 000011